(57)【要約】【課題】メッセージ性を高めたメッセージフラワーを提供する。【解決手段】メッセージフラワー１００は、花の形をした造形物１１０に、文字列又は図柄を切り抜き加工で表現した切り抜き装飾１２０を施したことを特徴とする。かかる構成によれば、花の形をした造形物１１０に、文字列又は図柄を切り抜き加工で表現した切り抜き装飾１２０を施すことで、メッセージ性を付与することができる。セミオーダーで希望の文字を入れたりすることもできる。また、文字だけでなく企業や店舗のロゴマークなども付与することができる。このようにして、メッセージ性を高めたメッセージフラワーを提供することができる。【選択図】図１
0003233219.tif 000002
【実用新案登録請求の範囲】
【請求項１】
花の形をした造形物に、文字列又は図柄を切り抜き加工で表現した切り抜き装飾を施したことを特徴とする、メッセージフラワー。
【請求項２】
前記切り抜き装飾は、前記花の形をした造形物自体に切り抜き加工が施されたものであることを特徴とする、請求項１に記載のメッセージフラワー。
【請求項３】
前記切り抜き装飾は、前記花の形をした造形物に、切り抜き加工が施された部材が後付けされることを特徴とする、請求項１又は２に記載のメッセージフラワー。
【考案の詳細な説明】
【技術分野】
【０００１】
本考案は、メッセージ性を付与したメッセージフラワーに関する。
【背景技術】
【０００２】
従来、造花用のクレープペーパーで作成したペーパーフラワーとして、特開昭５６−１５４５０７号公報（特許文献１）に示されるものが知られている。同文献に開示されるペーパーフラワーは、デザインに工夫が施されている。
【先行技術文献】
【特許文献】
【０００３】
【特許文献１】特開昭５６−１５４５０７号公報
【考案の概要】
【考案が解決しようとする課題】
【０００４】
しかしながら、上記従来のペーパーフラワーでは、デザインに工夫が施されているものの、メッセージ性に乏しいという問題があった。誕生日祝いや季節の催し・冠婚葬祭、感謝や激励の気持ちを伝える際などに、花を贈りものとすることが多いため、メッセージカードなどが無くても花単体のみで特定のメッセージを伝えられる造花が希求されていた。
【０００５】
そこで本考案は、このような問題に鑑みてなされたものであり、その目的とするところは、メッセージ性を高めたメッセージフラワーを提供することにある。
【課題を解決するための手段】
【０００６】
上記課題を解決するために、本考案によれば、花の形をした造形物に、文字列又は図柄を切り抜き加工で表現した切り抜き装飾を施したことを特徴とする、メッセージフラワーが提供される。
【０００７】
かかる構成によれば、花の形をした造形物（例えば、クレープペーパーなどで作成したペーパーフラワー）に、文字列や図柄を切り抜き加工で表現した切り抜き装飾を施すことで、メッセージ性を付与することができる。セミオーダーで希望の文字を入れたりすることもできる。また、文字だけでなく企業や店舗のロゴマークなども付与することができる。このようにして、メッセージ性を高めたメッセージフラワーを提供することができる。なお、文字列と図柄は、いずれか一方のみでもよく、文字列と図柄の両方であってもよい。
【０００８】
本考案はさまざまな応用が可能である。以下の応用例は適宜組み合わせて実施できる。
例えば、前記切り抜き装飾は、前記花の形をした造形物自体に切り抜き加工が施されたものであってもよい。かかる構成によれば、花と切り抜き装飾とを一体にすることで、文字列や図柄と花が違和感なく一体感ある仕上がりにすることができる。また、接着材などで接着する場合と異なり、剥がれなどにより欠落してしまう恐れを減らすことができる。
【０００９】
また、前記切り抜き装飾は、前記花の形をした造形物に、切り抜き加工が施された部材が後付けされるようにしてもよい。かかる構成によれば、花とは異なる素材や色で文字列や図柄を作成することができるため、伝えたいメッセージに合わせた幅広い表現が可能になる。また、花に対して切り抜き装飾を後付けにすることで、複数のパーツに跨って文字列や図柄を設置することができ、デザインの自由度が高まる。
【考案の効果】
【００１０】
本考案によれば、メッセージ性を高めたメッセージフラワーが提供される。本考案のその他の効果については、以下の考案を実施するための形態の項でも説明する。
【図面の簡単な説明】
【００１１】
【図１】第１の実施形態に係るメッセージフラワー１００の全体構成を概略的に示す図である。
【図２】第２の実施形態に係るメッセージフラワー２００の全体構成を概略的に示す図である。
【図３】第３の実施形態に係るメッセージフラワー３００の全体構成を概略的に示す図である。
【考案を実施するための形態】
【００１２】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１３】
（第１の実施形態）
本考案の第１の実施形態について、図１を参照しながら説明する。図１は、本実施形態に係るメッセージフラワー１００の全体構成を概略的に示す図である。メッセージフラワー１００は、図１に示したように、花の形をした造形物１１０に、文字列又は図柄を切り抜き加工で表現した切り抜き装飾１２０を施したことを特徴とする。以下、メッセージフラワー１００の各構成要素について、詳細に説明する。
【００１４】
（造形物１１０）
花の形をした造形物１１０は、例えばクレープペーパーを利用したペーパーフラワーである。クレープペーパーとは、襞やしわの加工を施した紙のことである。ペーパーフラワー自体は一般的なものを用いることができるので、これ以上の詳細な説明を割愛する。
【００１５】
（切り抜き装飾１２０）
切り抜き装飾１２０の作成方法はいくつかの方法がある。造形物１１０の花の形状や素材、付けるものによって一体にするか後付けにするかを決めることができる。本実施形態では、図１に示したように、文字列や図柄（図１の例では文字列「Ｔｈａｎｋ  Ｙｏｕ」）が突出するように外周を切り抜いた花弁・萼・葉・茎などのパーツを使用して造花を作成する。
【００１６】
（第１の実施形態の効果）
以上説明したように、本実施形態によれば、花の形をした造形物１１０に、文字列又は図柄を切り抜き加工で表現した切り抜き装飾１２０を施すことで、メッセージ性を付与することができる。そして、造形物１１０と切り抜き装飾１２０を一体にすることで、文字列や図柄と花が違和感なく一体感ある仕上がりにすることができる。また、接着材などで接着する場合と異なり、剥がれなどにより欠落してしまう恐れを減らすことができる。
【００１７】
（第２の実施形態）
本考案の第２の実施形態について、図２を参照しながら説明する。図２は、本実施形態に係るメッセージフラワー２００の全体構成を概略的に示す図である。メッセージフラワー２００は、図２に示したように、花の形をした造形物２１０に、文字列又は図柄を切り抜き加工で表現した切り抜き装飾２２０を施したことを特徴とする。以下、メッセージフラワー２００の各構成要素について、詳細に説明する。
【００１８】
（造形物２１０）
花の形をした造形物２１０は、例えばクレープペーパーを利用したペーパーフラワーである。ペーパーフラワー自体は一般的なものを用いることができるので、これ以上の詳細な説明を割愛する。
【００１９】
（切り抜き装飾２２０）
本実施形態の切り抜き装飾２２０は、図２に示したように、「花」の花弁や葉の内部を切り抜くことで、文字列や図柄（図２の例では文字列「Ｔｈａｎｋ  Ｙｏｕ」）を作成する。
【００２０】
（第２の実施形態の効果）
以上説明したように、本実施形態によれば、上記第１の実施形態と同様の効果を得ることができる。すなわち、花の形をした造形物２１０に、文字列又は図柄を切り抜き加工で表現した切り抜き装飾２２０を施すことで、メッセージ性を付与することができる。そして、造形物２１０と切り抜き装飾２２０を一体にすることで、文字列や図柄と花が違和感なく一体感ある仕上がりにすることができる。また、接着材などで接着する場合と異なり、剥がれなどにより欠落してしまう恐れを減らすことができる。
【００２１】
（第３の実施形態）
本考案の第３の実施形態について、図３を参照しながら説明する。図３は、本実施形態に係るメッセージフラワー３００の全体構成を概略的に示す図である。メッセージフラワー３００は、図３に示したように、花の形をした造形物３１０に、文字列又は図柄を切り抜き加工で表現した切り抜き装飾３２０を施したことを特徴とする。以下、メッセージフラワー３００の各構成要素について、詳細に説明する。
【００２２】
（造形物３１０）
花の形をした造形物３１０は、例えばクレープペーパーを利用したペーパーフラワーである。ペーパーフラワー自体は一般的なものを用いることができるので、これ以上の詳細な説明を割愛する。
【００２３】
（切り抜き装飾３２０）
本実施形態の切り抜き装飾３２０（３２０−１、３２０−２）は、図３に示したように、後付けの場合であり、紙や布・プラスチックなどを文字列や図柄の形に切り抜き、「花」の花弁・萼・葉・茎に接着材で貼り付ける。図３に示した例では、切り抜き装飾３２０−１は、複数の文字列「Ｈａｐｐｙ」及び「Ｂｉｒｔｈｄａｙ」とハートマークの図柄で、「誕生日おめでとう」を表現している。また、切り抜き装飾３２０−２は、一連の文字列「Ｈａｖｅ  ａ  ｇｒｅａｔ  ｄａｙ」で「すてきな一日を」を表現している。
【００２４】
（第３の実施形態の効果）
以上説明したように、本実施形態によれば、花の形をした造形物３１０に、文字列又は図柄を切り抜き加工で表現した切り抜き装飾３２０を施すことで、メッセージ性を付与することができる。そして、造形物３１０に対して切り抜き装飾３２０を後付けにすることで、花とは異なる素材や色で文字列や図柄を作成することができるため、伝えたいメッセージに合わせた幅広い表現が可能になる。また、複数のパーツに跨って文字列や図柄を設置することができ、デザインの自由度が高まる。
【００２５】
以上、添付図面を参照しながら本考案の好適な実施形態について説明したが、本考案はかかる例に限定されないことは言うまでもない。当業者であれば、実用新案登録請求の範囲に記載された範疇内において、各種の変更例又は修正例に想到し得ることは明らかであり、それらについても当然に本考案の技術的範囲に属するものと了解される。
【００２６】
例えば、造花と文字列又は図柄は、同じ材質であってもよく、違う材質であってもよい。
【００２７】
また、ペーパーフラワーの材質は紙であるが、布・粘土などを使用した造花、生花、生花に特殊加工したもの（ドライフラワー、プリザーブドフラワー）であってもよい。
【００２８】
また、花の形をした造形物と、文字列又は図柄は、同じ色であってもよく、違う色であってもよい。
【００２９】
以上説明した実施形態・応用例・変形例等は、適宜組み合わせて実施することができる。
【産業上の利用可能性】
【００３０】
本考案は、メッセージ性を付与したメッセージフラワーに利用可能である。
【符号の説明】
【００３１】
１００  メッセージフラワー
１１０  造形物
１２０  切り抜き装飾
２００  メッセージフラワー
２１０  造形物
２２０  切り抜き装飾
３００  メッセージフラワー
３１０  造形物
３２０（３２０−１、３２０−２）  切り抜き装飾
【図１】
0003233219.tif 000003
【図２】
0003233219.tif 000004
【図３】
0003233219.tif 000005